(57)【要約】【課題】  多数の登録相手から特定の通信相手を選択する際に頻繁に通信を行う相手を素早く選択することを可能にする。【解決手段】  ＰＣとビデオカメラ。ＰＣ上のアプリケーションで実現。【選択図】  図４
2008009737.tif 000002
【特許請求の範囲】
【請求項１】
通信頻度により表示濃度を変更することを特徴とする表示装置。
【請求項２】
複数のノード間で通信を行い、前記ノードの情報を表示する表示装置において、通信頻度に応じて前記ノードの情報の表示濃度を変更することを特徴とする表示装置。
【請求項３】
複数のノード間で通信を行い、通信相手を選択する際に前記ノードの情報を表示する表示装置において、自ノードとの通信頻度に応じて他ノードの情報の表示濃度を変更することを特徴とする表示装置。
【請求項４】
複数のノード間で通信を行い、通信相手を選択する際に前記ノードの情報を表示する表示装置において、自ノードとの通信頻度の多いノードの情報の表示濃度を濃くし、前記自ノードとの通信頻度の少ないノードの情報の表示濃度を薄くすることを特徴とする表示装置。
【請求項５】
複数のノード間で通信を行い、通信相手を選択する際に前記ノードの情報を表示する表示装置において、自ノードとの通信頻度の多いノードの情報の表示濃度に対し、前記自ノードとの通信頻度の少ないノードの情報の表示濃度を前記通信頻度に従って段階的に薄くすることを特徴とする表示装置。
【請求項６】
請求項５において、前記通信頻度が少なくなったり、多くなったりするごとに段階的にノードの情報の表示ノードを変更することを特徴とする表示装置。
【請求項７】
請求項６において、前記通信頻度とは一定期間過去の通信した回数が加算され、一定期間過去以前の回数は減算されることを特徴とする表示装置。
【請求項８】
請求項５において、前記ノード情報とは文字またはアイコン、または文字とアイコンで表されるものであることを特徴とする表示装置。
【請求項９】
複数のノード間で通信を行い、通信相手を選択する際に前記ノードの情報を表示する表示装置において、自ノードとの通信頻度の多いノードの情報の表示濃度に対し、前記自ノードとの通信頻度の少ないノードの情報の表示濃度を前記通信頻度に従って段階的に薄くし、一定の前記通信頻度よりも少ない場合は表示しないことを特徴とする表示装置。
【請求項１０】
請求項９において、前記通信頻度が少なくなったり、多くなったりするごとに段階的にノードの情報の表示ノードを変更することを特徴とする表示装置。
【請求項１１】
請求項１０において、前記通信頻度とは一定期間過去の通信した回数が加算され、一定期間過去以前の回数は減算されることを特徴とする表示装置。
【請求項１２】
請求項９において、前記ノード情報とは文字またはアイコン、または文字とアイコンで表されるものであることを特徴とする表示装置。
【発明の詳細な説明】
【技術分野】
【０００１】
本発明は複数のノード間で通信を行うネットワーク機器に関するものであり、特にインターネット等で他者とのコミュニケーションを行うシステムに利用される。
【背景技術】
【０００２】
近年、ＰＣの家庭への普及は目覚しく、さらにＡＤＳＬなどのインターネットへの高速接続の出現から、図２に示すようなビデオカメラを用いたビデオチャットと呼ばれるコミュニケーション手段が出現した。
【０００３】
図２において、２１はビデオカメラ、２２はＰＣ、２３はインターネット網、２４はＰＣ、２５はビデオカメラ、２６はサーバーである。
【０００４】
まずＰＣ２２のユーザーは、サーバー２６に対し、ビデオチャットを行いたい相手、ここではＰＣ２４のユーザーを登録する。するとサーバー２６はＰＣ２４のユーザーに対し、ビデオチャットを許可するかどうかを通知によって尋ね、ＰＣ２４のユーザーが承諾するとＰＣ２２のユーザーのチャット相手のリストに追加される。同様にＰＣ２４のユーザーもＰＣ２２のユーザーを登録、通知、承諾でチャット相手のリストに追加される。このリストには名前だけでなく、相手の居住地域や年齢、性別といった文字による付加情報や写真やアイコンなどの画像情報が追加されている。
【０００５】
次回からはＰＣ２２のユーザーもＰＣ２４のユーザーもお互いのチャット相手のリストに登録されているために、チャットを行う際、ＰＣ２２のユーザーがサーバーに接続するとそのリストが表示され、次にＰＣ２４のユーザーがサーバーに接続すると、ＰＣ２２のユーザーのリストがチャット可能であることを表示する。ＰＣ２２のユーザーはＰＣ２４のユーザーをそのリストの中から選択し、ビデオチャットを行う。
【０００６】
ここで、ＰＣ２２とビデオカメラ２１、ＰＣ２４とビデオカメラ２５はＵＳＢ、またはＩＥＥＥ１３９４で接続されており、それぞれのユーザーの姿をビデオカメラ２１、２５で撮影し、ビデオカメラ２１、２５に付属したマイクにより音声をサンプリングし、双方に映像と音声を送ることにより、ビデオチャットを行うものである。
【０００７】
動画像を記録する装置として、記録媒体に磁気テープや光ディスク、フラッシュメモリ等を使ったデジタルビデオカメラ(以下DVCと称す)が知られている。また静止画記録用として登場したデジタルスチルカメラ（以下デジカメと称す）も最近では動画を記録できるタイプが多くなってきている。これらの機器の動画の使い方は、過去には記録媒体に記録するだけであったが、短時間の動画ファイル（動画クリップ）を作り、電子メール等で遠くに配信することも一般的になってきている（例えば、特許文献1参照。）。
【０００８】
DVCやデジカメの記録モードとして、記録媒体の容量がいっぱいになるまで記録できるこれまでの使い方のモードと、電子メールで配信するために20秒や３0秒記録というように時間を制限して自動記録できるモードが選択できる装置も考えられる。
【特許文献１】特開２００２−１７６６１９号公報
【発明の開示】
【発明が解決しようとする課題】
【０００９】
しかしながら上記従来例において、リストのチャット相手の人数が少ないうちはいいが、多数の相手を登録しており、その中から頻繁に通信を行う相手を選択する場合には、捜すのに苦労するという欠点があった。
【００１０】
そこで、本出願に係わる発明の目的は、多数の登録相手から特定の通信相手を選択する際に頻繁に通信を行う相手を素早く選択することを可能にする手段の提案である。
【課題を解決するための手段】
【００１１】
上記目的を達成するために本出願の発明は、複数のノード間で通信を行い、通信相手を選択する際に前記ノードの情報を表示する表示装置において、自ノードとの通信頻度の多いノードの情報の表示濃度に対し、前記自ノードとの通信頻度の少ないノードの情報の表示濃度を前記通信頻度に従って段階的に薄くし、一定の前記通信頻度よりも少ない場合は表示しないようにしたものである。
【発明の効果】
【００１２】
以上説明したように、本発明によれば、複数のノード間で通信を行い、通信相手を選択する際に前記ノードの情報を表示する表示装置において、自ノードとの通信頻度の多いノードの情報の表示濃度に対し、前記自ノードとの通信頻度の少ないノードの情報の表示濃度を前記通信頻度に従って段階的に薄くし、一定の前記通信頻度よりも少ない場合は表示しないことにより、大勢の通信相手から特定の通信相手を選択する際に頻繁に通信を行う相手を素早く選択することができるようになった。
【発明を実施するための最良の形態】
【００１３】
（実施例１）
図３において、３１、３５、３７、４０はビデオカメラ、３２、３４、３８、３９はＰＣ、３３はインターネット網、３６はサーバーである。
【００１４】
まずＰＣ３２のユーザーは、サーバー３６に対し、ビデオチャットを行いたい相手、ここではＰＣ３４、３８、３９のユーザーを登録する。するとサーバー３６はＰＣ３４、３８、３９のユーザーに対し、ビデオチャットを許可するかどうかを通知によって尋ね、ＰＣ３４、３８、３９のユーザーが承諾するとＰＣ３２のユーザーのチャット相手のリストにＰＣ３４、３８、３９のユーザーが追加される。同様にＰＣ３４、３８、３９のユーザーもＰＣ３２のユーザーを登録、通知、承諾でチャット相手のリストに追加される。このリストには名前だけでなく、図１に示すように相手の居住地域や年齢、性別といった文字による付加情報や写真やアイコンなどの画像情報が追加されて、ＰＣ３２のモニタ上に表示される。
【００１５】
次回からはＰＣ３２のユーザーもＰＣ３４、３８、３９のユーザーもお互いのチャット相手のリストに登録されているために、チャットを行う際、ＰＣ３２のユーザーがサーバーに接続するとそのリストが図１のようにＰＣ３２のモニタ上に表示され、次にＰＣ３４、３８、３９のユーザーがサーバーに接続すると、ＰＣ３２のユーザーのリストがチャット可能であることを表示する。ＰＣ３２のユーザーは、図１に示すリストの中からチャットしたい相手を選んでビデオチャットを行うことになる。
【００１６】
ここで、ＰＣ３２とビデオカメラ３１、ＰＣ３４とビデオカメラ３５、ＰＣ３８とビデオカメラ３７、ＰＣ３９とビデオカメラ４０はＵＳＢ、またはＩＥＥＥ１３９４で接続されており、それぞれのユーザーの姿をビデオカメラ３１、３５、３７、４０で撮影し、ビデオカメラ３１、３５、３７、４０に付属したマイクによより音声をサンプリングし、双方に映像と音声を送ることにより、ビデオチャットを行うものである。
【００１７】
次に本実施例であるビデオチャットを行う場合のリストの表示方法について説明する。図１において、ノードＡ、Ｂ、Ｃは図３におけるＰＣ３４、３８、３９に相当する。ＰＣ３２のユーザーは、ノードＡのユーザーとノードＣのユーザーとは、過去に頻繁に通信を行っており、ノードＢのユーザーとはしばらく通信していない。その場合、ＰＣ３２のリスト表示アプリケーションは一定期間過去の通信回数からそれぞれのノードの頻度を判断し、ある一定値より少ない場合、図１のノードＢのように、相手の居住地域や年齢、性別といった文字による付加情報や写真やアイコンなどの画像情報の濃度を薄く表示するようにする。その時の表示のアプリケーションのフローチャートを図４に示す。フローチャートを見てもわかるように通信頻度は、一定期間以上前の通信は時間が進むとともに減算され、通信を行った次回では加算されるため、上下するものである。
【００１８】
（実施例２）
上記実施例１では、通信頻度の判別は一定期間過去の通信回数が一定値との大小と記述したが、当然、この一定値は複数存在することにより段階的に濃度を変えることが可能である。
【００１９】
もちろん段階的に濃度を変えていく場合、最も濃度が薄い状態とは消えることもあるということである。つまり、通信回数が少ない場合、表示されない場合もある。
【００２０】
その時のフローチャートを図５に示す。
【図面の簡単な説明】
【００２１】
【図１】本実施例を最もよく表す通信相手のリスト表示の図
【図２】従来のビデオチャットの接続図。
【図３】本実施例のビデオチャットの接続図。
【図４】本実施例１のフローチャート。
【図５】本実施例２のフローチャート。
【符号の説明】
【００２２】
２１、２５、３１、３５、３７、４０  ビデオカメラ
２２、２４、３２、３４、３８、３９  ＰＣ
２３、３３  インターネット網
２６、３６  サーバー
【図１】
2008009737.tif 000003
【図２】
2008009737.tif 000004
【図３】
2008009737.tif 000005
【図４】
2008009737.tif 000006
【図５】
2008009737.tif 000007